【事件の表示】
　特許第６３７７５２４号発明「テトラフルオロプロペンの保存方法およびテトラフルオロプロペンの保存容器」の特許異議申立事件について、次のとおり決定する。
【結　論】
　特許第６３７７５２４号の請求項１ないし６に係る特許を維持する。
【理　由】
第１　手続の経緯 
  特許第６３７７５２４号の請求項１〜６に係る特許についての出願は、２０１３年４月１９日(優先権主張２０１２年４月２７日(ＪＰ)日本国)を国際出願日として特許出願され、平成３０年８月３日に特許権の設定登録がされ、同年８月２２日にその特許公報が発行され、平成３１年２月２２日に、その請求項１〜６に係る発明の特許に対し、鈴木愛子(以下「特許異議申立人」という。)により特許異議の申立てがされたものである。
　
第２　本件発明
　特許第６３７７５２４号の請求項１〜６に係る発明(以下「本件発明１」〜「本件発明６」といい、まとめて「本件発明」ということがある。)は、その特許請求の範囲の請求項１〜６に記載された事項により特定される以下のとおりのものである。
「【請求項１】
　２，３，３，３−テトラフルオロプロペンを密閉容器内で、気相と液相とを有する気液状態で保存する方法であって、
　前記気相における酸素の濃度を、温度２５℃で３体積ｐｐｍ以上１０００体積ｐｐｍ未満にすることを特徴とするテトラフルオロプロペンの保存方法。
【請求項２】
　前記気相における酸素の濃度を、温度２５℃で５体積ｐｐｍ以上１０００体積ｐｐｍ未満にする、請求項１に記載のテトラフルオロプロペンの保存方法。
【請求項３】
　前記気相における酸素の濃度を、温度２５℃で６体積ｐｐｍ以上５００体積ｐｐｍ未満にする、請求項１または２に記載のテトラフルオロプロペンの保存方法。
【請求項４】
　気相と液相とを有する気液状態の２，３，３，３−テトラフルオロプロペンが充填され密閉された保存容器であり、
　前記気相における酸素の濃度が、温度２５℃で３体積ｐｐｍ以上１０００体積ｐｐｍ未満であることを特徴とするテトラフルオロプロペンの保存容器。
【請求項５】
　前記気相における酸素の濃度が、温度２５℃で５体積ｐｐｍ以上１０００体積ｐｐｍ未満である、請求項４に記載のテトラフルオロプロペンの保存容器。
【請求項６】
　前記気相における酸素の濃度が、温度２５℃で６体積ｐｐｍ以上５００体積ｐｐｍ未満である、請求項４または５に記載のテトラフルオロプロペンの保存容器。」
第３　申立理由の概要
　特許異議申立人が申し立てた取消理由の概要は、以下のとおりである。　
　
　本件発明１〜６は、本件優先日前に日本国内又は外国において、頒布された以下の甲第１号証に記載された発明並びに甲第２〜６号証に記載の技術的事項に基いて、本件出願前にその発明の属する技術の分野における通常の知識を有する者が容易に発明をすることができたものであるから、特許法第２９条第２項の規定により特許を受けることができない。
　よって、本件発明１〜６に係る特許は、同法第２９条の規定に違反してされたものであるから、同法第１１３条第２号の規定により取り消されるべきものである。
甲第１号証：国際公開第２０１０／０９８４４７号(以下「甲１」という。)
甲第２号証：JOURNAL OF CHEMICAL  ENGINEERING DATA, Vol.56, (2011), p.3254−3264（以下「甲２」という。）
甲第３号証：特開２０１１−８５２７５号公報（以下「甲３」という。）
甲第４号証：特開２００１−２４０５７０号公報（以下「甲４」という。）
甲第５号証：米国特許第２，４０７，４０５号明細書（以下「甲５」という。）
甲第６号証：「ANSI／AHRI標準700の補遺１及び２　フルオロカーボン冷媒の2006標準規格」（2011年8月8日ANSIにより承認）AHRI発行（以下「甲６」という。）
第４　当審の判断　
　
１　甲号各証の記載
　
（１）甲１
　
１ａ「　特許請求の範囲
［請求項１］　ハイドロフルオロプロペン及び安定化剤を含む冷媒組成物であって、該安定化剤が、炭素数１〜４でアルコール価数１〜４の脂肪族アルコールからなる群より選ばれる少なくとも１種であることを特徴とする冷媒組成物。
［請求項２］　ハイドロフルオロプロペンが、2,3,3,3−テトラフルオロプロペン（HFO−1234yf）、（Z又はE−）1,3,3,3−テトラフルオロプロペン（HFO−1234ze）、(Z又はE−)1,2,3,3,3−ペンタフルオロプロペン（HFO−1225ye）、（Z又はE−）1,1,3,3,3−ペンタフルオロプロペン（HFO−1225zc）、及び(Z又はE−)3,3,3−トリフルオロプロペン（HFO−1243zf）からなる群より選ばれる少なくとも１種である、請求項１に記載の冷媒組成物。
　　　　　　　　　　・・・・・
［請求項７］　ハイドロフルオロプロペンを含む冷媒組成物の安定化方法であって、該冷媒組成物に、炭素数１〜４でアルコール価数１〜４の脂肪族アルコールからなる群より選ばれる少なくとも１種の安定化剤を添加することを特徴とする安定化方法。」（特許請求の範囲 請求項１、２、７）
１ｂ「［0007］　そこで本発明者は、ハイドロフルオロプロペンについての安定性を評価したところ、空気（酸素）共存下での安定性に問題が認められた。具体的には、冷媒組成物の実際の使用で到達すると考えられる温度域でも酸化分解が進行し、ＣＦ３ＣＯＯＨ、ＨＦなどの酸の生成が確認された。そのため、システム内の腐食や冷凍能力の低下、キャピラリーの閉塞等の問題が予想された。
［0008］　一般に、モバイルエアコンのように工場で冷媒が充填される装置であれば、施工管理がなされているため空気（酸素）の混入の可能性はほとんどない。しかしながら、定置式空調機等の装置の場合は、現場での冷媒充填施工が必要である。該冷媒充填施工は、施工業者の管理能力に委ねられており、これまでも冷凍能力低下等の不具合やトラブルの主原因として、空気（酸素）の混入が考えられた。
［0009］　従来のＨＦＣ冷媒では、このような不具合が発生した場合に冷媒の入れ替えのみで対応可能であったが、ハイドロフルオロプロペンを含む冷媒の場合には冷媒の酸化分解により大量の酸を生成するため、システムの金属腐食等が生じるおそれがあり、それに伴い機器の交換の必要も考えられる。このように、ハイドロフルオロプロペンを含む冷媒を用いる場合には、据え付け作業及びメンテナンス等の問題が発生する可能性がある。そのため、ハイドロフルオロプロペンを冷媒組成物の成分として用いる場合には、該冷媒組成物について空気（酸素）共存下における安定性を高める技術が必要である。
　　　　　　　　　　・・・・・
［0011］・・・・・　
　発明の概要
　発明が解決しようとする課題
［0012］　本発明は、地球温暖化係数（GWP）が低いハイドロフルオロプロペンを含む冷媒組成物であって、空気（酸素）共存下においても安定な状態を長期間維持できる安定化された冷媒組成物を提供することを目的とする。
　課題を解決するための手段
［0013］　本発明者は、上記目的を達成すべく鋭意研究を重ねた結果、炭素数１〜４でアルコール価数１〜４の脂肪族アルコールからなる群より選ばれる少なくとも１種の安定化剤（酸化防止剤）を含む冷媒組成物が、空気（酸素）共存下においても安定な状態を長期間維持できることを見出した。かかる冷媒組成物は、家庭用エアコン等の定置型空調機の冷媒充填施工時に空気（酸素）が混入しても、長期にわたって安定性が保持できる。」
１ｃ「［0036］　これに対して、本発明の安定性評価方法は、密閉容器中で、酸素の存在下及び／又は不存在下に、冷媒組成物を加熱処理した後、処理後の冷媒組成物の酸分を分析することを特徴とする。
［0037］　酸素不存在下の分析結果（酸素不存在下で酸が発生しないことの確認）と酸素存在下での分析結果との差を比較することにより、安定化剤の効果及びその程度を確実に評価することができる。
［0038］　密閉容器としては、シールドチューブ（例えば、シールドされたパイレックス（登録商標）ガラス製チューブ等）が用いられる。本発明の評価方法は、いわゆる加速試験に相当するため、例えば加熱温度は９０〜２００℃の範囲から設定できる。また、加熱処理時間は７２〜７２０時間の範囲から設定できる。処理後の冷媒組成物の酸分の分析方法については、実施例に記載の方法により実施することができる。」
１ｄ「［0046］　
実施例１〜１０及び比較例１〜１０
（冷媒組成物の調製）
　冷媒として次のものを用意した。
Ｘ：ＨＦＯ−１２３４ｙｆ（ＣＦ３ＣＦ＝ＣＨ２ダイキン工業製）
Ｙ（比較品）：ＨＦＣ−３２（ＣＦ２Ｈ２ダイキン工業製）
Ｚ：ＨＦＯ−１２２５ｙｅ（ＣＦ３ＣＨ＝ＣＦ２ダイキン工業製）
　　　　　　　　　　・・・・・
［0048］　下記表１に示す組成となるように各冷媒組成物を調製した。
［0049］
［0050］
試験例１
　パイレックス（登録商標）ガラス製チューブ（ID8mmΦ×OD12mmΦ×L300mm）に表１に示される計２０種類（実施例１〜１０、比較例１〜１０）の冷媒組成物（冷媒＋安定化剤）を入れ、更に表１に示される酸素濃度になるよう空気を入れて調整し封入後、温度１５０℃で１週間（１６８時間）加熱する加速試験を行った。
［0051］（酸分の分析方法）
　加速試験後のシールドチューブを液体窒素にてガスを完全に凝固させた。その後開封し、徐々に解凍し気化したガスをテドラーバッグに回収した。テドラーバッグに純水５ｇを注入し回収ガスとよく接触させ酸分を抽出し、抽出液をイオンクロマトグラフィーにてフッ化物イオン（Ｆ−）及びトリフルオロ酢酸イオン（ＣＦ３ＣＯＯ−）の含有量（重量ｐｐｍ）を測定した。
［0052］（冷凍機油の全酸価分析）
　ＪＩＳ Ｋ−２２１１（冷凍機油）の全酸価分析方法に準拠した方法で、ガス回収後の冷凍機油全酸価値の測定を行った。加速試験後の冷凍機油を秤量し、トルエン／イソプロパノール／水混合溶媒に溶解させ、指示薬としてα−ナフトールベンゼインを用いて1/100N−ＫＯＨ・エタノール溶液にて中和滴定し、滴定量から冷凍機油全酸価（mg・KOH／g）を測定した。
［0053］比較例の結果を下記表２に示し、実施例の結果を下記表３に示す。
［0055］（結　果）
　比較例１〜７は、いずれも安定化剤を用いていない。
［0057］　比較例１〜３はそれぞれHFO−1234yf、HFC−32、HFO−1225yeからなり、いずれも無酸素状態での安定性を評価しており、特に分解の兆候（酸の発生）は認められていない。
［0058］　比較例４〜６は、それぞれ比較例１〜３に酸素を共存させたものである。比較例４及び６ではハイドロフルオロプロペンであるHFO−1234yf、HFO−1225yeにおいて酸分の生成が大幅に増加している。これは、ハイドロフルオロプロペンの酸素共存下における安定性が、従来ＨＦＣ冷媒（HFC−32）のそれと比較して極めて低いことを示している。
［0059］　比較例７ではHFO−1234yfとHFC−32の混合物と酸素を共存させているが、酸分生成量はHFO−1234yf（比較例４）に対しほぼ８０％と組成比に比例している。
［0061］　実施例１〜９における酸分は、比較例４〜９と比べると低い値を示しており、ハイドロフルオロプロペンの酸素による酸化が抑制されていることが分かる。」
（２）甲２
　訳文にて示す。
　
２ａ「要約：２，３，３，３−テトラフルオロー１ーエン（R1234yf）のｐ−ρ−Ｔ挙動を、２シンカーデジメータを用いて10MPaまでの圧力でＴ(絶対温度)＝（232から400まで）Kで測定した。」（3254頁 要約 １〜２行）
２ｂ「R1234yfの熱安定性の研究を２つの異なる試験系で行った。第１の試験系は、Widegren及びBrunoのプロトコールに従い、ステンレス製アンプル反応器中約0.3mLの容量でT＝250℃又はT＝150℃で（16〜23）時間流体を加熱した。最初のT＝250℃及びT＝150℃での２つのテストでは、反応器を充填前真空にしなかった。両方の場合とも重合反応が認められた。３番目の150℃でのテストでは、反応器を充填前完全に真空にし、重合反応は検出されなかった。このように、空気はR1234yfの重合を進行させる。」（3256頁 左欄 １〜１０行）
（３）甲３
３ａ「【００２４】
　図３は２，３，３，３−テトラフルオロプロペンを空気存在下で１７５℃２週間、オートクレーブ内で加熱試験を実施した後に発生した粘凋性の物質のＦＴ−ＩＲスペクトルである。・・・なお、エアコンの場合は通常、現場での施工があるため作業状況によっては冷凍サイクルに空気が混入する可能性がある。そのためオートクレーブ内で生成したような重合物が冷凍サイクル内で生成する。」
（４）甲４
４ａ「【０００２】
【従来の技術】種々の場合において、高圧の気体のテトラフルオロエチレン（以下、単に「ＴＦＥ」とも呼ぶ）が必要とされる場合がある。例えば、ポリテトラフルオロエチレンの製造に際しては、比較的低圧にて貯槽に保管されていた気体のＴＦＥを昇圧機によって高圧の気体のＴＦＥとして、それを重合反応器に連続して供給して重合させる。
【０００３】ＴＦＥは、反応性に富み、その爆発範囲は広く、ＴＦＥは自己重合を起こし易い。これを考慮して、自己重合の可能性を減らすべく、特別の注意を払う必要がある。
【０００４】
【発明が解決しようとする課題】従って、ＴＦＥを取り扱う際に、自己重合が起こる可能性を一層かつより簡単に減らす対策を提供することが望まれている。
　　　　　　　　　　・・・・・
【０００９】本発明の気化方法において、ＴＦＥは、液体であれば必ずしも高純度である必要はなく、自己重合を引き起こし易いＴＦＥに、本発明の方法は、特に有効である。通常、本発明の気化方法は、重合に用いる規格を満足するＴＦＥに好適である。尚、自己重合の可能性を可及的に減らすためには、ＴＦＥの酸素濃度が小さいのが好ましく、その意味で、本発明の方法は、好ましくは１００ｐｐｍ以下、より好ましくは１０ｐｐｍ以下で酸素を含む液体ＴＦＥを気化する場合に有効である。」
（５）甲５
　訳文にて示す。
５ａ「本発明はテトラフルオロエタンの重合を防止するための方法及びテトラフルオロエタンを含む組成物に関する。」(５欄１〜４行)
　
５ｂ「20ppm未満の酸素を含んでいるテトラフルオロエチレンを、室温・超大気圧で、気体又は液体として、数週間重合せずに、貯蔵又は処理することができる。」(５欄２０〜２４行)
（６）甲６
　訳文にて示す。
６ａ「
ANSI／AHRI標準700−2006の補遺２
　　　　　　　　　　２０１０年８月
　AHRI標準700−2006の補遺２，フルオロカーボン冷媒の規格は、AHRI標準700−2006の範囲２に並びに表1A及び表1Bに、冷媒R−407F、R−417B、R−438A及びR−1234yfを加える。混乱を避けるため、2010年8月補遺２は既に発行されているAHRI標準700−2006に組み込まれている。」（ANSI／AHRI標準700−2006の補遺２　１頁２〜８行）
６ｂ「
」(ANSI／AHRI標準700−2006の補遺２ 表1Aに追加された新規冷媒の表)
２　甲１に記載された発明
　甲１は、「ハイドロフルオロプロペンを含む冷媒組成物の安定化方法であって、該冷媒組成物に、炭素数１〜４でアルコール価数１〜４の脂肪族アルコールからなる群より選ばれる少なくとも１種の安定化剤を添加することを特徴とする安定化方法」（１ａ 特許請求の範囲 請求項７）に関し記載するものであって、該安定化方法の加速試験として、試験例１には「パイレックス(登録商標)ガラス製チューブ(ID8mmΦ×OD12mmΦ×L300mm)に表１に示される計２０種類(実施例１〜１０、比較例１〜１０)の冷媒組成物(冷媒＋安定化剤)を入れ、更に表１に示される酸素濃度になるよう空気を入れて調整し封入後、温度１５０℃で１週間(１６８時間)加熱する」方法（１ｄ）が記載され、該［表１］の比較例４には「冷媒　Ｘ：HFO−1234yf（CF3CF＝CH2ダイキン工業製）100重量部、酸素濃度 冷媒に対し0.185mol％(後調整)」（１ｄ）で試験を行うことが示されている。
　そうすると、この試験例１で行った比較例４の試験方法に着目すると、甲１には、
「パイレックス(登録商標)ガラス製チューブ(ID8mmΦ×OD12mmΦ×L300mm)に、冷媒Ｘ：HFO−1234yf（CF3CF＝CH2ダイキン工業製）100重量部の冷媒組成物を入れ、更に冷媒に対し0.185mol％(後調整)の酸素濃度になるよう空気を入れて調整し封入後、温度１５０℃で１週間(１６８時間)加熱する方法」
の発明（以下「甲１発明１」という。）が記載されていると認められる。
　
　前記甲１発明１において、試験した対象物であるものに着目すると、甲１にはさらに、
「パイレックス(登録商標)ガラス製チューブ(ID8mmΦ×OD12mmΦ×L300mm)に、冷媒Ｘ：HFO−1234yf（CF3CF＝CH2ダイキン工業製）100重量部の冷媒組成物を入れ、更に冷媒に対し0.185mol％(後調整)の酸素濃度になるよう空気を入れて調整し封入後、温度１５０℃で１週間(１６８時間)加熱したもの」
の発明（以下「甲１発明２」という。）が記載されていると認められる。
３　対比・判断　
　
（１）本件発明１について
　
ア　甲１発明１との対比
（ア）甲１発明１の「HFO−1234yf（CF3CF＝CH2ダイキン工業製）」は、上記摘記１（１）１ａの［請求項２］の記載より、「２，３，３，３−テトラフルオロプロペン」であることが明らかであるから、本件発明１の「２，３，３，３−テトラフルオロプロペン」に相当する。
（イ）甲１発明１の「パイレックス(登録商標)ガラス製チューブ(ID8mmΦ×OD12mmΦ×L300mm)」は、甲１に「［0038］密閉容器としては、シールドチューブ(例えば、シールドされたパイレックス(登録商標)ガラス製チューブ等)が用いられる」（１ｃ）と記載され、密閉容器といえるから、本件発明１の「密閉容器」に相当する。
（ウ）甲１発明１は、密閉容器である「パイレックス(登録商標)ガラス製チューブ(ID8mmΦ×OD12mmΦ×L300mm)」に「HFO−1234yf（CF3CF＝CH2ダイキン工業製）100重量部の冷媒組成物を入れ」「封入後、温度１５０℃で１週間(１６８時間)加熱」している。
　HFO−1234yf（CF3CF＝CH2）の沸点は−２９．４℃である（６ｂ）から、ガラス製チューブにHFO−1234yfを所定量入れるためには、明記されていないが、HFO−1234yfを冷却し、液化したものを加えた後、封入したと技術常識から理解できるので、甲１発明１は、密閉容器にHFO−1234yfを封入後、１５０℃で加熱することで、加圧状態となり、密閉容器内のHFO−1234yfは気液状態を呈しているといえる。
　そして、甲１発明１の「温度１５０℃で１週間(１６８時間)加熱する方法」について、このHFO−1234yfが気液状態で封入されている密閉容器を温度１５０℃で１週間(１６８時間)加熱し、冷媒組成物の安定性を試験しており、HFO−1234yfを密閉容器内で温度１５０℃で１週間(１６８時間)状態を維持しているといえるから、保存する方法ともいえる。
　そうすると、甲１発明１の「パイレックス(登録商標)ガラス製チューブ(ID8mmΦ×OD12mmΦ×L300mm)に、冷媒Ｘ：HFO−1234yf（CF3CF＝CH2ダイキン工業製）100重量部の冷媒組成物を入れ」「封入後、温度１５０℃で１週間(１６８時間)加熱する方法」は、上記（ア）、（イ）で述べたことも踏まえると、本件発明１の「２，３，３，３−テトラフルオロプロペンを密閉容器内で、気相と液相とを有する気液状態で保存する方法」に相当する。
（エ）甲１発明１の「冷媒に対し0.185mol％(後調整)の酸素濃度になるよう空気を入れて調整」することは、空気を入れて、冷媒に対し0.185mol％すなわち1850体積ppmの酸素濃度になるよう調整することから、冷媒の気相における酸素濃度を1850体積ppmとすることといえる。
　そうすると、本件発明１の「気相における酸素の濃度を、温度２５℃で３体積ｐｐｍ以上１０００体積ｐｐｍ未満にする」ことと、甲１発明１の「冷媒に対し0.185mol％(後調整)の酸素濃度になるよう空気を入れて調整」することとは、気相における酸素の濃度を、特定の体積ｐｐｍにする点で共通する。
　上記（ア）〜（エ）より、本件発明１と甲１発明１とは、 
「２，３，３，３−テトラフルオロプロペンを密閉容器内で、気相と液相とを有する気液状態で保存する方法であって、
　前記気相における酸素の濃度を、特定の体積ｐｐｍにすることを特徴とするテトラフルオロプロペンの保存方法」である点で一致し、以下の点で相違する。
　
　相違点１：前記気相における酸素の濃度について、本件発明１では、温度２５℃で３体積ｐｐｍ以上１０００体積ｐｐｍ未満であるのに対し、甲１発明１では、１８５０体積ｐｐｍである点
　  
イ　判断     
（ア）甲１は、ハイドロフルオロプロペンを含む冷媒は、空気(酸素)による冷媒の酸化分解により大量の酸を生成し、システムの金属腐食等が生じるおそれがあるため、空気(酸素)の共存下においても安定な状態を長期間維持できる安定化されたハイドロフルオロプロペンを含む冷媒組成物及び該冷媒組成物の安定化方法を提供することを目的とする発明に関する刊行物であり（１ｂ［0007］〜［0009］、［0012］）、その目的を達成すべく検討した結果、炭素数１〜４でアルコール価数１〜４の脂肪族アルコールからなる群より選ばれる少なくとも１種の安定化剤(酸化防止剤)を含む冷媒組成物が、空気(酸素)の共存下においても安定な状態を長期間維持できることを見出したものである（１ｂ［0013］）。
　甲１発明１は、甲１の特許請求の範囲に記載された「ハイドロフルオロプロペンを含む冷媒組成物の安定化方法」（１ａ 請求項７）についての試験例１における比較例４である。
　この試験例１における冷媒組成物の各種組成が示されている［表１］をみると、冷媒としてHFO−1234yf（CF3CF＝CH2）のみを用いている実施例１、３〜７、９、１０及び比較例１、４、８、１０については、比較例１である空気(酸素)の不存在下の場合を除き、空気(酸素)の共存下の前記実施例及び比較例のいずれも、冷媒に対する酸素濃度が１８５０体積ｐｐｍになるよう空気を入れて調整・封入したものが記載されているに過ぎない。
　むしろ、甲１の［表１］は、HFO−1234yfについて、酸素濃度１８５０体積ｐｐｍの条件下で、冷媒組成物に炭素数１〜４でアルコール価数１〜４の脂肪族アルコールからなる群より選ばれる少なくとも１種の安定化剤(酸化防止剤)を含ませることで、冷媒組成物の安定化ができることを示しているのであって、酸素濃度を、１８５０体積ｐｐｍから増減することによって何らかの効果が得られることについては、何ら記載されていないし示唆もされていない。
　また、甲２及び甲３には、空気(酸素)の存在により２，３，３，３−テトラフルオロプロペン（すなわちHFO−1234yf）の重合が進行することが記載され（２ｂ、３ａ）、甲４及び５には、冷媒として、甲１発明１や本件発明１のテトラフルオロプロペンとは異なる冷媒であるが、テトラフルオロエチレンについて酸素濃度を減らすと重合を防止できることが記載され（４ａ、５ｂ）、甲６には、R−1234yf（すなわち２，３，３，３−テトラフルオロプロペン−１−エン（２ａ））中の酸素の最大含有量は0.3体積％すなわち3000体積ppm(＝１．５体積％×0.2(空気中の酸素含有率20％)であること（６ｂ）が記載されているとしても、甲１発明１において、酸素濃度を減らすことが記載も示唆もされていない以上、甲１発明１に、甲２〜甲６に記載の技術的事項を適用する動機付けを認めることができない。
（イ）そして、本件発明１は、本件特許明細書の段落【００１３】の記載され、実験例１〜５により裏付けられているように(【００２３】〜【００３０】)、テトラフルオロプロペンを高純度及び高品質に維持することができ、供給バルブ等の閉塞や冷媒装置への混入のおそれがなく、低コストで保存を行うことができるという、顕著な効果を奏するものである。
（ウ）特許異議申立人の主張について
　特許異議申立人は、特許異議申立書において、甲１には、ハイドロフルオロプロペンについての安定性を評価したところ、空気(酸素)共存下での安定性に問題が認められたことが記載され（１ｂ［0007］）、並びに、試験例１における比較例４及び比較例７の結果（１ｄ［0054］［表２］）をみると、酸素濃度が低い比較例７は比較例４より酸分の生成が減少しており安定であることが示されていることより、ハイドロフルオロプロペンの安定性を保つために共存する酸素濃度を低下させる動機付けが、甲１には示唆されているから、甲１発明１に、甲２〜甲６に記載の技術的事項に基いて、当業者は本件発明１を容易に想到し得た旨、主張している。
　
　しかし、この点は上記（ア）で検討したとおり、甲１には、ハイドロフルオロプロペンの安定性を保つために共存する酸素濃度を低下させる動機付けが示唆されているとはいえない。
　したがって、特許異議申立人の主張は採用できない。
（エ）以上より、本件発明１は、甲１に記載された発明及び甲２〜甲６に記載の技術的事項に基いて、当業者が容易に発明をすることができたものであるとはいえない。
（２）本件発明２及び３について    
　本件発明２及び３は、本件発明１を引用し、「気相における酸素の濃度」を、それそれ「温度２５℃で５体積ｐｐｍ以上１０００体積ｐｐｍ未満にする」、「温度２５℃で６体積ｐｐｍ以上５００体積ｐｐｍ未満にする」と、さらに限定したものである。
　そして、本件発明１が、甲１に記載された発明及び甲２〜甲６に記載の技術的事項に基いて、当業者が容易に発明をすることができたものであるとはいえない以上、気相における酸素の濃度がさらに限定された特定事項を含む本件発明２及び３も、同様に、甲１に記載された発明及び甲２〜甲６に記載の技術的事項に基いて、当業者が容易に発明をすることができたものであるとはいえない。
（３）本件発明４について
ア　甲１発明２との対比
（ア）甲１発明２の「HFO−1234yf（CF3CF＝CH2ダイキン工業製）」は、前記（１）ア（ア）で述べたことを踏まえると、本件発明４の「２，３，３，３−テトラフルオロプロペン」に相当する。
（イ）甲１発明２は、密閉容器である「パイレックス(登録商標)ガラス製チューブ(ID8mmΦ×OD12mmΦ×L300mm)」に、「HFO−1234yf（CF3CF＝CH2ダイキン工業製）100重量部の冷媒組成物を入れ」、「封入後、温度１５０℃で１週間(１６８時間)加熱した」「もの」すなわち密閉容器である。
　前記（１）ア（ウ）で述べたことを踏まえると、この「温度１５０℃で１週間(１６８時間)加熱したもの」について、HFO−1234yfが気液状態で封入されている密閉容器を温度１５０℃で１週間(１６８時間)加熱し、冷媒組成物の安定性を試験しており、HFO−1234yfを密閉容器内で温度１５０℃で１週間(１６８時間)状態を維持した容器といえるから、保存容器ともいえる。
　そうすると、甲１発明２の「パイレックス(登録商標)ガラス製チューブ(ID8mmΦ×OD12mmΦ×L300mm)に、冷媒Ｘ：HFO−1234yf（CF3CF＝CH2ダイキン工業製）100重量部の冷媒組成物を入れ」「封入後、温度１５０℃で１週間(１６８時間)加熱したもの」は、本件発明４の「気相と液相とを有する気液状態の２，３，３，３−テトラフルオロプロペンが充填され密閉された保存容器」に相当する。
（ウ）本件発明４の「前記気相における酸素の濃度が、温度２５℃で３体積ｐｐｍ以上１０００体積ｐｐｍ未満である」ことと、甲１発明２の「冷媒に対し0.185mol％(後調整)の酸素濃度になるよう空気を入れて調整し」たものは、前記（１）ア（エ）で述べたことを踏まえると、気相における酸素の濃度が、特定の体積ｐｐｍである点で共通する。
　上記（ア）〜（ウ）より、本件発明４と甲１発明２とは、 
「気相と液相とを有する気液状態の２，３，３，３−テトラフルオロプロペンが充填され密閉された保存容器であり、
　前記気相における酸素の濃度が、特定の体積ｐｐｍであることを特徴とするテトラフルオロプロペンの保存容器」である点で一致し、以下の点で相違する。
　
　相違点２：前記気相における酸素の濃度について、本件発明４では、温度２５℃で３体積ｐｐｍ以上１０００体積ｐｐｍ未満であるのに対し、甲１発明２では、１８５０体積ｐｐｍである点
　  
イ　判断 
　相違点２は相違点１と同じであるから、前記（１）イで述べたとおりである。
　したがって、本件発明４は、甲１に記載された発明及び甲２〜甲６に記載の技術的事項に基いて、当業者が容易に発明をすることができたものであるとはいえない。
（４）本件発明５及び６について    
　本件発明５及び６は、本件発明４を引用して、「気相における酸素の濃度」を、それそれ「温度２５℃で５体積ｐｐｍ以上１０００体積ｐｐｍ未満にする」、「温度２５℃で６体積ｐｐｍ以上５００体積ｐｐｍ未満にする」と、さらに限定したものである。
　そして、本件発明４が、甲１に記載された発明及び甲２〜甲６に記載の技術的事項に基いて、当業者が容易に発明をすることができたものであるとはいえない以上、気相における酸素の濃度がさらに限定された特定事項を含む本件発明５及び６も、同様に、甲１に記載された発明及び甲２〜甲６に記載の技術的事項に基いて、当業者が容易に発明をすることができたものであるとはいえない。
４　まとめ　
　上記のとおり、本件発明１〜６は、本件優先日前に日本国内又は外国において、頒布された甲１に記載された発明及び甲２〜甲６に記載の技術的事項に基いて、本件出願前に当業者が容易に発明をすることができたものであるとはいえない。
　よって、本件発明１〜６に係る特許は、特許法第２９条第２項の規定に違反してなされたものではなく、同法第１１３条第２号の規定により取り消されるべきものではない。
第５　むすび
　以上のとおりであるから、特許異議申立ての理由及び証拠によっては、本件発明１〜６に係る特許を取り消すことはできない。
　また、他に本件発明１〜６に係る特許を取り消すべき理由を発見しない。
　よって、結論のとおり決定する。
【異議決定日】
令和１年５月１３日（２０１９．５．１３）